(57)【特許請求の範囲】
【請求項１】
分散された負荷に選択的に電力供給するための回路装置であって、複数の負荷セグメントを備え、各負荷セグメントが、可変電圧を受け取るための少なくとも１つの供給端子に電気的に接続され、各負荷セグメントが、
負荷ユニットと、
近接センサユニットとを少なくとも備え、前記近接センサユニットが、前記負荷ユニットに結合され、検出物体の近接に依存するリアクタンスを持つ反応デバイスを少なくとも備え、
動作電圧が、前記検出物体の近接に依存するように、動作中、前記負荷セグメントの少なくとも１つの反応デバイスのリアクタンスに依存して、受け取った前記可変電圧に基づく動作電圧が生成され、少なくとも１つの負荷ユニットに前記動作電圧が供給される、
回路装置。
【請求項２】
動作中、前記負荷セグメントのうちの１つの負荷セグメントの前記反応デバイスのリアクタンスに依存して、前記負荷セグメントの前記１つの負荷セグメントの前記負荷ユニットに動作電圧が供給される、請求項１に記載の回路装置。
【請求項３】
前記負荷ユニットが、ＬＥＤユニットである、請求項１又は２に記載の回路装置。
【請求項４】
前記複数の負荷セグメントが、検出領域に隣接する相互の空間的な関係で配置される、請求項１乃至３のいずれか一項に記載の回路装置。
【請求項５】
分散された負荷に選択的に電力供給するための回路装置であって、複数の負荷セグメントを備え、各負荷セグメントが、可変電圧を受け取るための少なくとも１つの供給端子に電気的に接続され、各負荷セグメントが、
負荷ユニットと、
近接センサユニットとを少なくとも備え、前記近接センサユニットが、前記負荷ユニットに結合され、検出物体の近接に依存するリアクタンスを持つ反応デバイスを少なくとも備え、
動作電圧が、前記検出物体の近接に依存するように、動作中、前記負荷セグメントの少なくとも１つの反応デバイスのリアクタンスに依存して、少なくとも１つの負荷ユニットに前記動作電圧が供給され、
複数の前記負荷セグメントが、少なくとも、第１及び第２のセグメントの入力端子と、第１及び第２のセグメントの出力端子とを備え、
第１の負荷セグメントの前記第１及び前記第２のセグメントのそれぞれの入力端子が、前記少なくとも１つの供給端子に接続され、
更なる負荷セグメントの前記第１及び前記第２のセグメントのそれぞれの入力端子が、隣接する負荷セグメントの前記第１及び前記第２のセグメントのそれぞれの出力端子に接続されるように、前記更なる負荷セグメントが配置されて、前記複数の負荷セグメントの前記第１のセグメントの入力及び出力端子によって、前記可変電圧のための第１の伝播経路が形成され、前記複数の負荷セグメントの前記第２のセグメントの入力及び出力端子によって、前記可変電圧のための第２の伝播経路が形成され、
前記負荷ユニットが、前記第１の伝播経路と前記第２の伝播経路との間に接続される、
回路装置。
【請求項６】
分散された負荷に選択的に電力供給するための回路装置であって、複数の負荷セグメントを備え、各負荷セグメントが、可変電圧を受け取るための少なくとも１つの供給端子に電気的に接続され、各負荷セグメントが、
負荷ユニットと、
近接センサユニットとを少なくとも備え、前記近接センサユニットが、前記負荷ユニットに結合され、検出物体の近接に依存するリアクタンスを持つ反応デバイスを少なくとも備え、
動作電圧が、前記検出物体の近接に依存するように、動作中、前記負荷セグメントの少なくとも１つの反応デバイスのリアクタンスに依存して、少なくとも１つの負荷ユニットに前記動作電圧が供給され、
前記反応デバイスが、少なくとも第１の反応素子を備え、前記第１の反応素子が、１つの負荷セグメントから隣接する負荷セグメントへの前記可変電圧の伝播が遅延されるように配置され、前記遅延が、前記第１の反応素子のリアクタンスに依存する、
回路装置。
【請求項７】
前記複数の負荷セグメントが、検出領域に隣接する相互の空間的な関係で配置され、
前記反応デバイスが、更に第２の反応素子を備え、前記第１の反応素子及び前記第２の反応素子が、前記第１の反応素子と前記検出領域との距離が前記第２の反応素子と前記検出領域との距離未満になるように配置される、請求項６に記載の回路装置。
【請求項８】
複数の前記負荷セグメントが、少なくとも、第１及び第２のセグメントの入力端子と、第１及び第２のセグメントの出力端子とを備え、
前記第１の反応素子が、前記第１のセグメントの入力端子と前記第１のセグメントの出力端子との間に配置された第１のインダクタであり、
前記第１のインダクタのリアクタンスが、前記検出物体の近接に依存する、
請求項６又は７に記載の回路装置。
【請求項９】
複数の前記負荷セグメントが、少なくとも、第１及び第２のセグメントの入力端子と、第１及び第２のセグメントの出力端子とを備え、
更なる負荷セグメントの前記第１及び前記第２のセグメントのそれぞれの入力端子が、隣接する負荷セグメントの前記第１及び前記第２のセグメントのそれぞれの出力端子に接続されるように、前記更なる負荷セグメントが配置されて、前記複数の負荷セグメントの前記第１のセグメントの入力及び出力端子によって、前記可変電圧のための第１の伝播経路が形成され、
前記第１の反応素子が、前記第１の伝播経路と基準電位のための基準端子との間に接続された第１のコンデンサであり、
前記第１のコンデンサのリアクタンスが、前記検出物体の近接に依存する、
請求項６乃至８のいずれか一項に記載の回路装置。
【請求項１０】
分散された負荷に選択的に電力供給するための回路装置であって、複数の負荷セグメントを備え、各負荷セグメントが、可変電圧を受け取るための少なくとも１つの供給端子に電気的に接続され、各負荷セグメントが、
負荷ユニットと、
近接センサユニットとを少なくとも備え、前記近接センサユニットが、前記負荷ユニットに結合され、検出物体の近接に依存するリアクタンスを持つ反応デバイスを少なくとも備え、
動作電圧が、前記検出物体の近接に依存するように、動作中、前記負荷セグメントの少なくとも１つの反応デバイスのリアクタンスに依存して、少なくとも１つの負荷ユニットに前記動作電圧が供給され、
更に、少なくとも１つのパルス電圧信号を前記負荷セグメントに供給するための、前記少なくとも１つの供給端子に接続されたドライバユニットを備える、
回路装置。
【請求項１１】
前記反応デバイスが、少なくともコンデンサを備え、前記コンデンサが、前記負荷ユニットに直列に配置される、請求項１乃至１０のいずれか一項に記載の回路装置。
【請求項１２】
分散された負荷に選択的に電力供給するための回路装置であって、複数の負荷セグメントを備え、各負荷セグメントが、可変電圧を受け取るための少なくとも１つの供給端子に電気的に接続され、各負荷セグメントが、
負荷ユニットと、
近接センサユニットとを少なくとも備え、前記近接センサユニットが、前記負荷ユニットに結合され、検出物体の近接に依存するリアクタンスを持つ反応デバイスを少なくとも備え、
動作電圧が、前記検出物体の近接に依存するように、動作中、前記負荷セグメントの少なくとも１つの反応デバイスのリアクタンスに依存して、少なくとも１つの負荷ユニットに前記動作電圧が供給され、
前記反応デバイスが、少なくともコンデンサを備え、前記コンデンサが、前記負荷ユニットに直列に配置され、
検出物体が前記負荷セグメントに近接していない場合には、前記負荷ユニットに印加される電圧がしきい値電圧未満であり、前記検出物体が前記負荷セグメントに近接している場合には、前記電圧が少なくとも一時的に前記しきい値電圧よりも高くなるように前記コンデンサが配置される、
回路装置。
【請求項１３】
前記コンデンサが、第１の電極及び第２の電極を備え、前記第１の電極及び前記第２の電極が、平坦形状であり、２次元検出領域と平行に配設される、請求項１１又は１２に記載の回路装置。
【請求項１４】
請求項３乃至１３のいずれか一項に記載の回路装置を備える、ＬＥＤランプ。
【請求項１５】
複数の負荷セグメントを備える回路装置を用いて、分散された負荷に選択的に電力供給する方法であって、各負荷セグメントが、可変電圧を受け取るための少なくとも１つの供給端子に電気的に接続され、各負荷セグメントが、負荷ユニットと近接センサユニットとを少なくとも備え、前記近接センサユニットが、前記負荷ユニットに結合され、検出物体の近接に依存するリアクタンスを持つ反応デバイスを少なくとも備え、動作電圧が、前記検出物体の近接に依存するように、少なくとも１つの反応デバイスの前記リアクタンスに依存して、受け取った前記可変電圧に基づく動作電圧が生成され、少なくとも１つの負荷ユニットに前記動作電圧が供給される、方法。
【発明の詳細な説明】
【技術分野】
【０００１】
本発明は、分散された負荷に選択的に電力供給するための回路装置、ＬＥＤランプ、及び分散された負荷に選択的に電力供給する方法に関する。
【背景技術】
【０００２】
ＬＥＤベースの照明の重要性が増すにつれて、ＬＥＤは、装飾照明の分野で既に重要な役割を果たしている。ＬＥＤの低い電力消費及び長い寿命が、ＬＥＤを、様々な用途のための非常に好ましい選択肢にしている。更に、様々な色を有するＬＥＤが当技術分野で知られている。また、例えば、赤色ＬＥＤ、緑色ＬＥＤ、及び青色ＬＥＤを組み合わせて、実質的に無制限の多様な色の印象効果を生み出すことも知られている。
【０００３】
特に、ライトのストリング又は照光面でのＬＥＤ等、特定の分散効果を生み出すために幾つかのＬＥＤを制御するとき、制御電子回路のコストが考慮に入れられなければならない。比較的安価なＬＥＤが今日市販されているが、単純であり安価な制御要素によってＬＥＤ構成を制御する必要性がある。
【０００４】
装飾用及び／又はユーザ対話式ＬＥＤ、並びに他の種類の負荷に関して、しばしば、特定の効果が望まれる場所を検出することが望まれる。例えば、ＬＥＤのストリングでは、作動させるべき１つ又は複数のＬＥＤをユーザが指示することを想定することができ、この指示は、何らかの種類のセンサによって検出される。前記検出後、ドライバ等が、この特定の位置にエネルギーを送達しなければならない。多くの用途に関して、望まれる効果と実現される効果との不一致をなくすために、検出に課される解像度及び精度の要件はかなり高い。
【０００５】
ＬＥＤによって生み出される効果等光学的効果に関して、制御は、カメラ及び専用の画像処理アルゴリズムに基づくことがある。この場合、良好なアライメントが期待され得る。光学的でない他の効果に関しては、実際の効果の位置の決定はかなり複雑であり、従って、制御装置にフィードバック信号を付与することができる可能性はほとんどない。これらの制御の問題に加えて、ドライバは、大抵の望ましい効果を特定の位置で再現するために、高い解像度を提供しなければならない。
【０００６】
しかし、当技術分野で知られている検出及び制御デバイスは、特に、大きな領域及び／又は多くのデバイスが制御されなければならないときには、かなり複雑である。これは更に、比較的高いコストをもたらす。
【発明の概要】
【発明が解決しようとする課題】
【０００７】
従って、本発明の目的は、ユーザ対話式に負荷に電力供給するための、費用効率が高く且つ正確な手段を提供することである。
【課題を解決するための手段】
【０００８】
この問題は、請求項１に記載の回路装置、請求項１４に記載のＬＥＤランプ、及び請求項１５に記載の方法によって解決される。
【０００９】
本発明の基本的な着想は、可変リアクタンスを備える近接センサユニットに対する検出物体の物理的な近接に依存して、分散構成での複数の負荷に動作電力を供給するというものである。前記検出物体が存在するとき、前記リアクタンスの変化が生じ、負荷に対する動作電圧の変化を引き起こす。この動作電圧は、前記検出物体の存在により減少又は好ましくは増加されることがあり、それにより電力を負荷に供給する。
【００１０】
従って、本発明は、分散された負荷に選択的に電力供給するための回路装置を提供する。このコンテキストで、「分散された」は、負荷が異なる位置に位置決めされることを意味する。負荷は、互いに隣接していることも、離隔されていることもある。負荷は、特に、１次元で、例えばストリングに配置されることがあり、又は２次元で配置されることもある。ここでの及び以下での「負荷」は、そこに電圧が印加されるときに電力を消費する任意のデバイスを表す。電力は、光、機械的エネルギー、熱等に変換されることがある。好ましくは、負荷ユニットは非線形であり、即ち、負荷の電力消費は、印加される動作電圧と非線形関係を示す。
【００１１】
本発明による回路装置は、複数の負荷セグメントを備える。各負荷セグメントは、可変電圧を受け取るための少なくとも１つの供給端子に電気的に接続され、即ち、供給端子は、そのような電圧を供給するように適合されていなければならない。例えば、供給端子は、電圧供給源に（例えば、はんだ付けによって）永久的に接続されることがあり、又は、可変電圧が外部から供給される場合には、プラグアンドソケットシステムの一部を成すことがある。この場合の可変電圧は、最も広範な意味合いでの交流電圧、即ち、時間と共に変化する任意の電圧、例えば、正弦波電圧、方形波電圧、三角形波電圧、パルス電圧等を表す。好ましくは、以下に論じられるように、可変電圧はパルス電圧である。
【００１２】
各負荷セグメントは、負荷ユニットと近接センサユニットとを少なくとも備える。このコンテキストで、負荷ユニットは、上記の意味合いでの負荷である任意の種類のデバイス又はデバイスの一部でよい。近接センサユニットに関連付けられない負荷を回路装置が備えることが想定し得る。しかし、これらの負荷は、上記の意味合いでの負荷セグメントの一部とはみなされない。
【００１３】
近接センサユニットは、少なくとも動作中に前記負荷ユニットに結合され、少なくとも反応デバイスを備える。反応デバイスは、検出物体の近接に依存するリアクタンスを持つ。任意の（容量型又は誘導型の）デバイスのリアクタンスは、デバイスによって発生される電場又は磁場と同時に生じる。この電場又は磁場は、その電場又は磁場に物体が入ることによって変化されることがある。例えば、インダクタの磁場に入る強磁性物体は、前記磁場を変え、それにより、インダクタのインダクタンスを変え、従ってそのリアクタンスを変える。同様の効果は、誘電性物体がコンデンサの電場に入るときに生じる。本発明によれば、物体が反応デバイスの近傍にあるか否かを検出するために、この効果が使用される。本発明の範囲内で、リアクタンスは、キャパシタンス及び／又はインダクタンスによるものでよく、例えば、反応デバイスは、可変リアクタンスを持つ少なくとも１つのコンデンサ及び／又はインダクタを備えることがある。
【００１４】
以下に説明されるように、近接センサユニットと、それが結合される負荷ユニットとは、互いに比較的近くに配設されることが好ましい。この場合、各負荷セグメントは、空間的な意味合いで「セグメント」を形成する。しかし、１つの負荷セグメントのセンサユニットと負荷ユニットとの間の厳密な空間的関係がないことも想定し得る。
【００１５】
少なくとも１つの負荷セグメントが１つより多い負荷ユニット及び／又は１つより多いセンサユニットを備えることがあることが、本発明の範囲内にあることに留意されるべきである。また、近接センサユニットは、１つより多い反応デバイスを備えることがある。少なくとも幾つかの反応デバイス又は異なる負荷セグメントが、個別の構成要素ではなく、単体を形成することも、本発明の範囲内にある。
【００１６】
本発明による回路装置の動作中、動作電圧が、検出物体の近接に依存するように、負荷セグメントのうちの１つの負荷セグメントの少なくとも１つの反応デバイスのリアクタンスに依存して、少なくとも１つの負荷ユニットに動作電圧が供給される。これは、少なくとも１つの反応デバイスのリアクタンスが少なくとも１つの負荷ユニットに供給される動作電圧に影響を及ぼすように回路装置が配設されることを意味する。好ましくは、動作電圧は、供給端子に印加される電圧が変化されない場合でさえ変化される。上記の電圧は時間依存性であることがあるので、変化は、時間展開、例えば、周波数、パルス幅、パルス遅延等を指すことがある。
【００１７】
従って、動作電圧は、反応デバイスによって制御され、これにより、有利には、例えば検出信号を処理して動作電圧を制御するための更なるドライバ電子回路は必要ない。前記制御は、以下に説明されるように、単純であり安価な構成要素を用いて負荷セグメント自体によって提供される。従って、本発明による回路装置のコストは、負荷セグメントの数に比例する。しかし、負荷要素が数個のみ備えられるか、数百個備えられるかに関係なく、前記制御は、追加のシステムを必要とせずに常に提供される。従って、本発明による回路装置は、非常に単純であり費用効果が高い負荷制御態様を提供する。一実施形態では、負荷セグメントの反応デバイスは、そのセグメント内の負荷ユニットに提供される電力の量を制御する。別の実施形態では、負荷セグメントの反応デバイスは、電圧信号に影響を及ぼし、これにより、異なるセグメント内の負荷ユニットに送達される電力が変化される。
【００１８】
動作時、適切な物体が反応デバイスの近くに配置されることがあり、例えば、強磁性物体がインダクタの近くに配置されることがある。物体によって磁場が変えられ、即ち、インダクタのインダクタンス（従ってそのリアクタンス）が増加する。好ましい実施形態に関して更に説明されるように、回路装置は、リアクタンスのこの変化が、少なくとも１つの負荷ユニットに印加される動作電圧の変化を生じるように設計される。特に、電圧変化は、増加であることがあり、これは、負荷ユニットを作動させる。
【００１９】
本発明の範囲内で、１つの負荷ユニットに印加される電圧は、幾つかの反応デバイスのリアクタンスに依存することがある。他方、反応デバイスのリアクタンスは、幾つかの負荷ユニットに印加される電圧に影響を及ぼすことがある。
【００２０】
本発明の一実施形態では、動作中、前記負荷セグメントの反応デバイスのリアクタンスに依存して、前記負荷セグメントのうちの１つの負荷セグメントの負荷ユニットに動作電圧が供給される。この場合、制御は、各負荷セグメント内部で局所化され、即ち、前記１つの負荷セグメントへの前記検出物体の近接が、少なくとも同じ負荷セグメントの負荷ユニットに提供される動作電圧の減少又は好ましくは増加を引き起こす。従って、各負荷セグメントは、それ独自の局所制御システムを有することがあり、このシステムは、非常に単純であることがあり、処理装置等の複雑な要素の必要性をなくす。しかし、ここで、動作電圧が、ある程度は他の反応デバイスのリアクタンスに依存することが想定し得る。
【００２１】
１つの負荷セグメントのセンサユニットと負荷ユニットとが互いに近接又は隣接して位置されることが好ましい。この場合、効果（例えば作動）は、原因事象に次いで、即ち物体が配置された場合に生じることがある。即ち、回路装置に近接する物体との対話によって、特定の負荷の「アドレッシング」が実現される。
【００２２】
本発明による回路装置は、前記負荷ユニットの少なくとも１つが固体光発生ユニット、最も好ましくはＬＥＤユニットである場合に特に有用である。ＬＥＤユニットは、１つ又は複数の光放出デバイスを備えることがあり、光放出デバイスは、例えば、無機ＬＥＤ、有機ＬＥＤ（ＯＬＥＤ）、固体レーザ等でよい。しかし、更に、各負荷要素は、拡声器、振動デバイス（モータ）、加熱要素、エネルギー伝送コイル等を備えることもある。また、本発明の範囲内で、例えば、幾つかの負荷ユニットに関してはＬＥＤを使用し、他の負荷ユニットに関しては振動デバイスを使用することによって、様々な負荷ユニットを組み合わせることも想定し得る。更に、負荷ユニットは、ＬＥＤユニットでよく、例えばＬＥＤと振動デバイスとの組合せを備えていてもよい。複数のデバイスが１つの負荷ユニットに組み合わされる場合、それらのデバイスは、直列及び／又は並列に接続されることがある。更なる要素、例えば、別のセグメントの電流消費に基づいて負荷セグメント内の負荷ユニットの１つに電圧又は電流を供給するための要素が存在することがある。これは、特定の特性、例えば１つの負荷セグメントの非線形性が、他の負荷セグメントに「コピー」されること、又は１つの負荷の非線形性が、同じ負荷セグメント内部の別の負荷にコピーされることを可能にする。電流ミラーデバイスを含むことがある対応する実施形態が、本明細書で以下に、より詳細に説明される。
【００２３】
更に、負荷ユニットは、必ずしも個別の部品を形成しない。本発明の１つの好ましい実施形態では、少なくとも幾つかのＬＥＤユニットが、１つのＯＬＥＤの一部分を成す。拡張された平坦構造を有するＯＬＥＤが作製され得る。この場合、電圧を局所的に印加することによって、発光面の特定の領域が選択的に作動されることがある。これらのＯＬＥＤの１つ又は複数が使用されることがあり、反応デバイスは、発光面の下又は上に格子等を形成することがある。
【００２４】
好ましい実施形態では、複数の負荷セグメントが、検出領域に隣接する相互の空間的な関係で配置される。この検出領域内で、検出物体は、反応デバイスのリアクタンスの変化を引き起こすことができる。この実施形態では、負荷セグメントは、互いに離隔されることがあり、又は互いに隣接することがあり、或いはそれらが単一の構成要素を形成することもある。単一の構成要素の形成は、特に、負荷セグメントの負荷ユニットに当て嵌まることがある。検出領域は、様々な形状を有することがある。検出領域は、平坦、凸形、又は凹形でよい。負荷セグメントが本質的に１次元で整列される場合、検出領域は、狭く、細長く、又は更には管状であり、従って負荷セグメントを取り囲むことがある。
【００２５】
特に、負荷セグメントのセンサユニットは、検出領域に隣接して配置されることがある。検出領域は、好ましくは、回路装置が集積されたデバイスの表面に対応する。この場合、表面からの物体の距離は、それぞれの負荷セグメント（又は特にセンサユニット）からの距離に対応する。また、負荷セグメントは、直線又は曲線であることがある検出軸に沿って１次元で配置されることもある。２次元構成では、センサユニット及び／又は負荷ユニットは、例えば第１及び第２の垂直軸に沿って検出面に平行に配置されることがあり、即ち、それぞれのユニットが、２次元の「デカルト」格子を形成することがある。
【００２６】
回路装置の好ましい実施形態では、複数の負荷セグメントが、少なくとも、第１及び第２のセグメントの入力端子と、第１及び第２のセグメントの出力端子とを備え、第１の負荷セグメントの入力端子が、少なくとも１つの供給端子に接続される。更なる負荷セグメントは、それらのセグメント入力端子が隣接する負荷セグメントのセグメント出力端子に接続されるように配置され、即ち、負荷セグメントは、直列に接続される。従って、前記複数の負荷セグメントの前記第１のセグメントの入力及び出力端子によって、可変電圧のための第１の伝播経路が形成される。前記複数の負荷セグメントの前記第２のセグメントの入力及び出力端子によって、前記可変電圧のための第２の伝播経路が形成される。従って、第１のセグメントの入力／出力端子及び第２の入力／出力端子は、２つの線形構造又は２次元構造の接続点であり、供給端子に印加される可変電圧は、１つのセグメントから次のセグメントに伝播することがある。当然、第１のセグメントの入力／出力端子は、互いに直接電気的に接続されるか、又は間接的に、即ち中間構成要素を使用して電気的に接続されるべきである。同じことが、前記第２のセグメントの入力／出力端子の接続にも当てはまる。可変電圧信号の伝播速度（及びその形状）は、各負荷セグメントのリアクタンスに依存して変えられることがある。これは、以下に更に説明される。
【００２７】
上で説明された実施形態では、負荷ユニットは、好ましくは、前記第１の伝播経路と前記第２の伝播経路との間に接続される。好ましくは、負荷ユニットは、所与の負荷セグメントの第１のセグメントの入力端子と第２の入力端子との間、又は第１のセグメントの出力端子と第２のセグメントの出力端子との間、即ち２つの伝播経路の対応する点の間に接続され得る。しかし、第１のセグメントの入力端子と第２のセグメントの出力端子との間、又は更には異なる負荷セグメントに属する端子の間に接続されることもある。
【００２８】
本発明の一実施形態では、反応デバイスは、少なくとも第１の反応素子を備える。この反応素子は、インダクタ又はコンデンサでよい。ここでは、第１の反応素子は、１つの負荷セグメントから隣接する負荷セグメントへの可変電圧の伝播が遅延されるように配置され、遅延は、第１の反応素子のリアクタンスに依存する。この実施形態では、１つの伝播経路に沿った可変電圧の速度が、反応素子のリアクタンスに依存して遅延されることがある。反応デバイスがインダクタ及びコンデンサを備える場合に特に有利である。
【００２９】
一実施形態では、反応デバイスは、更に第２の反応素子を備え、第１の反応素子及び第２の反応素子は、検出物体の近接が第２の反応素子のリアクタンスよりも第１の反応素子のリアクタンスに対して大きな影響を有するように配設される。好ましくは、第１の反応素子及び第２の反応素子は、第１の反応素子と検出領域との距離が第２の反応素子と前記検出領域との距離未満になるように配置される。従って、検出領域内又はその近くに配置された物体は、通常は、第１の反応素子のリアクタンスに対して、より大きな影響を有する。特に、第２の反応素子に対する影響は無視できることがある。従って、２つの反応素子が異なる伝播経路に対応する場合、検出物体の近接によって、一方の伝播経路での遅延が他方の伝播経路での遅延よりも大きな影響を及ぼされる。従って、印加電圧が適切に選択される場合、２つの経路の所与の点の間の電圧差は、検出物体の近接に依存する。
【００３０】
特に好ましい実施形態では、第１の反応素子は、第１のセグメントの入力端子と第１のセグメントの出力端子との間に配置された第１のインダクタである。従って、第１のインダクタは、第１の伝播経路に対して「直列」に接続される。この実施形態では、第１のインダクタのリアクタンスは、検出物体の近接に依存する。負荷ユニットが第１の入力（出力）端子と第２の入力（出力）端子との間に接続され、これらの端子の間で電圧差が生じる場合、この差が負荷ユニットに印加される。この電圧差の存在及び強度は、それぞれの伝播経路内での電圧信号の伝播速度に依存する。更に、この速度は、第１のインダクタのリアクタンスによって引き起こされる遅延に依存する。
【００３１】
代替として又は追加として、第１の反応素子は、前記第１の伝播経路と基準電位のための基準端子との間に接続された第１のコンデンサでよい。従って、第１のコンデンサは、第１の伝播経路に対して「並列」に接続される。動作状態で、基準端子がこの基準電位に接続され、この電位は、好ましくは接地電位である。第１のコンデンサは、第１のセグメントの入力端子又は第１のセグメントの出力端子と基準端子との間に接続され得る。いずれにせよ、この実施形態では、第１のコンデンサのリアクタンスは、検出物体の近接に依存する。
【００３２】
好ましくは、回路装置は、更に第２のインダクタを備え、第２のインダクタは、第２のセグメントの入力端子と第２のセグメントの出力端子との間に配置される。
【００３３】
代替として又は追加として、回路装置は、第２の伝播経路と基準電位のための基準端子との間に接続された第２のコンデンサを備えることがある。この基準端子は、上述の基準端子と同一でも、異なっていてもよい。通常、両方の端子が同一であり、接地電位に接続される。
【００３４】
一実施形態によれば、それぞれ、第２のインダクタのタイプ及び／又は構成は第１のインダクタのものと同一であり、或いは第２のコンデンサのタイプ及び／又は構成は第１のコンデンサのものと同一である。より一般的には、第１のインダクタ（又はコンデンサ）と第２のインダクタ（又はコンデンサ）とは、可変電圧信号の伝播に対して同じ効果を有するように配設されることがある。従って、検出物体が存在しない限り、２つの伝播経路が同一の導電特性を有することがある。
【００３５】
回路装置の動作は、典型的には、何らかの種類の電圧供給を必要とする。好ましくは、回路装置は、ドライバユニットを備え、ドライバユニットは、少なくとも１つのパルス電圧信号を負荷セグメントに供給するために少なくとも１つの供給端子に接続される。パルスの形状は、例えば、矩形、三角形状、半波形状、ガウス形状、又は他の好適な形状でよい。パルスの（時間的及び空間的）距離は、有利には、回路装置内で反射が生じる場合に連続パルス間の有意な相互作用が可能でないように選択されることがある。複数の入力端子が存在する場合には、異なるパルス信号が印加されることが、本発明の範囲内にある。
【００３６】
特に、伝播経路の両側から２つの電圧信号が印加されることが想定し得て、即ち、１つの信号が、最初の負荷セグメントで第１の伝播経路において始まることがあり、第２の信号が、「最後」の負荷セグメントで第２の伝播経路において始まることがある。この原理は、例えば、国際公開第２０１０／０６４１８４号に記載されている。パルスの重ね合わせが、特定の負荷セグメントで生じ、負荷ユニットを作動させることがある。１つの信号の速度が検出物体の近接によって変えられる場合、「強め合う」重ね合わせの位置が、異なる負荷セグメントにシフトする。
【００３７】
ドライバが、前記第１の負荷セグメントの第１の入力端子と第２の入力端子とに、所与の時間関係を有するパルス電圧信号を供給するように構成されることが好ましい。各入力端子での電圧の時間進化は同じであることがあるが、時間進化の開始点が異なることがあり、即ち、ドライバは、電圧信号の１つにいくらかの「オフセット」遅延を加えることがある。そのような遅延が存在せず、且つ信号が同時に印加されない場合、各電圧信号に関する初期条件は同一である。従って、後続の負荷セグメントは、一方としての第１のセグメントの入力端子と出力端子との間の第１の要素と、他方としての第２の入力端子と出力端子との間の要素とに関して対称であり、信号は、等しい速度及び形状で伝播する。反応デバイスのリアクタンスが変化される場合のみ、１つの信号の遅延及び／又は歪が生じることがある。しかし、回路装置内部で生じる何らかの種類の望ましくない遅延効果を補償するために、第１又は第２の入力端子にいくらかのオフセット遅延を加えることが必要であることがある。
【００３８】
この場合、少なくとも負荷要素のしきい値電圧と等しい振幅を有するパルス電圧信号を使用することができる。しきい値電圧は、負荷ユニットの作動に重要な電圧である。しきい値電圧未満では、負荷の知覚できる作動は生じない。従って、上記の場合には、２つの伝播経路に沿ったパルスが完全に重畳する場合には、負荷要素に電圧が印加されないが、パルスの一方にいくらかの遅延がある場合には、しきい値電圧よりも高い電圧が印加されることがある。
【００３９】
しかし、多くの他の実施形態が想定し得る。例えば、第１の伝播経路での正のパルスが、第２の伝播経路での負のパルスと組み合わされることがある。これらが「オフセット」遅延を有して印加される場合、通常、重畳は生じない。パルスが、検出物体による遅延により重畳する場合、正のパルスと負のパルスとの差が、電圧の実効的追加をもたらし、これが負荷要素を作動させることがある。
【００４０】
本発明の別の実施形態では、反応デバイスは、少なくともコンデンサを備え、コンデンサは、負荷ユニットに直列に配置される。コンデンサは直流を遮断し、交流電圧が印加される場合には、コンデンサのリアクタンスが、いくらかの周波数依存電流を許す。負荷ユニットが直列に接続されるので、負荷ユニットを通って流れる電流は、コンデンサを通る電流と同じになる。近接する物体がない状態で負荷ユニットの知覚できる作動が生じないように、印加される電圧に依存して、コンデンサの特性を選択することが可能である。コンデンサによって発生される電場に検出物体が入る場合、前記電場は影響を及ぼされ、コンデンサのリアクタンスの変化をもたらす。これは、更に、負荷ユニットを通る電流の増加をもたらし、ＬＥＤを作動、例えば点灯させる。通常、検出物体は、コンデンサのキャパシタンスを増加させる。従って、検出物体が近接するとき、例えば検出領域内にあるときには、コンデンサのリアクタンスは減少される。このコンテキストで、検出物体は、ユーザの手又は足でよい。なぜなら、人体は、かなりの比誘電率を有するからであり、前記コンデンサによって発生される電場内に配置されるときに、この比誘電率がコンデンサのリアクタンスに影響を及ぼす。
【００４１】
好ましくは、検出物体が前記負荷セグメントに近接していない場合には、負荷ユニットに印加される電圧がしきい値電圧未満であり、前記検出物体が前記検出面内で前記負荷セグメントに近接している場合には、前記電圧が少なくとも一時的に前記しきい値電圧よりも高くなるようにコンデンサが配置される。従って、負荷ユニットは、物体が負荷セグメントに近接していない場合には非活動状態のままであり、物体が近くに来ると活動状態になる。負荷ユニットがＬＥＤである場合、しきい値電圧は、順電圧である。
【００４２】
コンデンサの幾つかの想定し得る実施形態が存在する。好ましい実施形態では、コンデンサは、第１及び第２の電極を備え、これらの電極は、検出領域に近接して配設される。より好ましくは、第１及び第２の電極は、平坦形状であり、２次元検出領域と平行に配設される。特に、検出領域自体は、平坦であることがある。幾つかの負荷セグメントのコンデンサが、個々の第１（第２）の電極を有し、その一方で共通の第２（第１）の電極を共有することが想定し得る。
【００４３】
上記のように、本発明は、特にＬＥＤの動作に有用である。従って、本発明はまた、上述のような回路装置を備えるＬＥＤランプも提供する。ランプの表面が検出面に対応することがあり、検出面の上に、物体（ユーザの手を含む）が配置されて、個々のＬＥＤ、ＯＬＥＤ、又はＯＬＥＤの一部に印加される電圧を変える。
【００４４】
本発明は、更に、複数の負荷セグメントを備える回路装置を用いて、分散された負荷に選択的に電力供給する方法であって、各負荷セグメントが、可変電圧を受け取るための少なくとも１つの供給端子に電気的に接続され、各負荷セグメントが、負荷ユニットと近接センサユニットとを少なくとも備え、近接センサユニットが、前記負荷ユニットに結合され、検出物体の近接に依存するリアクタンスを持つ反応デバイスを少なくとも備える方法を提供する。本発明による方法によれば、動作電圧が、前記検出物体の近接に依存するように、少なくとも１つの反応デバイスのリアクタンスに依存して、少なくとも１つの負荷ユニットに動作電圧が供給される。
【００４５】
本発明のこれら及び他の態様、特徴、及び利点は、添付図面に関連付けた好ましい実施形態の説明から明らかになり、その説明を参照して解明されよう。
【図面の簡単な説明】
【００４６】
【図１】本発明による回路装置の第１の実施形態を示す図である。
【図２】検出物体が存在しない状態での、図１の回路装置でのパルス電圧信号の伝播を示す図である。
【図３】検出物体の存在下での、図１の回路装置でのパルス電圧信号の伝播を示す図である。
【図４】図１〜図３に示される回路装置の変形形態の詳細を示す図である。
【図５】本発明による回路装置の別の実施形態の概略斜視図である。
【図６】図５における回路装置に関する幾つかの異なるＬＥＤ構成を示す図である。
【発明を実施するための形態】
【００４７】
図１は、本発明による回路装置１を示す。回路装置１は、７個の負荷セグメント１０、２０、３０、４０、５０、６０、７０を備え、これらの負荷セグメントは、機構が同一である。従って、本明細書では以後、第１の負荷セグメント１０の機構のみが述べられる。第１の負荷セグメント１０は、第１のセグメントの入力端子１２と、第１のセグメントの出力端子１３と、第２のセグメントの入力端子１４と、第２のセグメントの出力端子１５とを備える。この場合、出力端子１３、１５は、第２の負荷セグメント２０の入力端子２２、２４と同一である。
【００４８】
図１から理解され得るように、回路装置１のレイアウト及び第１の負荷セグメント１０のレイアウトは、ほぼ対称的である。第１のインダクタＬ１が、第１のセグメントの入力端子１２と第１のセグメントの出力端子１３との間に接続され、例えば同一の第２のインダクタＬ１ａが、第２の入力端子１４と第２の出力端子１５との間に接続される。更に、第１のコンデンサＣ１が、第１のセグメントの出力端子１３と基準端子９１との間に接続される。それに対応して、第２のコンデンサＣ１ａが、第２のセグメントの出力端子１５と基準端子９１との間に接続される。少なくとも動作状態で、基準端子９１は、接地に接続される。上記のインダクタＬ１、Ｌ１ａとコンデンサＣ１、Ｃ１ａが、近接センサユニット１１を構成する。回路装置１は、第１のインダクタＬ１が第２のインダクタＬ１ａよりも検出領域に近くなるように配設される。同じことが、残りの負荷セグメント２０〜７０でのそれぞれのインダクタＬ２〜Ｌ７及びＬ２ａ〜Ｌ７ａにも当て嵌まる。表面を有するデバイスに回路装置１が組み込まれる場合、検出領域は、表面の上に隣接して位置されることがある。
【００４９】
連続する負荷セグメント１０〜７０の第１のセグメントの入力端子及び出力端子に沿って、可変電圧信号のための第１の伝播経路が形成され、負荷セグメント１０〜７０の第２の入力端子及び出力端子に沿って、可変電圧信号のための第２の伝播経路が形成される。図示される実施形態では、第１及び第２の伝播経路は、第１の負荷セグメント１０とは反対側に配設された２つのインダクタＬ８、Ｌ８ａによって補完される。
【００５０】
再び第１の負荷セグメント１０を参照すると、ＬＥＤ  Ｄ１が、第１のセグメントの出力端子１３と第２のセグメントの出力端子１５との間に接続される。従って、ＬＥＤ  Ｄ１に印加される電圧は、第１のセグメントの出力端子１３と第２のセグメントの出力端子１５とに印加される電圧の差と同一であり、又は、より一般的に言うと、第１の伝播経路と第２の伝播経路との電圧差と同一である。
【００５１】
第１の入力端子１２及び第２の入力端子１４は、供給端子９０に接続される。動作状態で、供給端子９０は、ドライバユニット（図示せず）に接続され、ドライバユニットは、この例によればパルス電圧信号である可変電圧信号を印加するように構成される。
【００５２】
図２は、検出物体が存在しない場合の、第１の伝播経路及び第２の伝播経路を通る前記パルス電圧信号の伝播を示す。この場合、ドライバユニットは、供給端子９０に負の矩形パルス３００を印加する。それに対応して、このパルス３００は、第１のセグメントの入力端子１２及び第２のセグメントの入力端子１４に印加される。２つの伝播経路の対称的なレイアウトにより、電圧信号の伝播は同一である。
【００５３】
図２の上部には、回路装置の上に、電圧パルスがそれぞれの第１のセグメントの出力端子を通る時点ｔ１、ｔ２、ｔ３等の前後の特定の時間間隔にわたる、それぞれの第１のセグメントの出力端子での電圧パルス３０１〜３０７の時間展開が示されている。それに対応して、回路装置１の下に、図２は、これらの時間間隔にわたる、それぞれの第２のセグメントの出力端子での電圧パルス３０１ａ〜３０７ａの時間展開を示す。例えば、第１の負荷セグメント１０のＬＥＤ  Ｄ１は、第１のセグメントの出力端子１３と第２のセグメントの出力端子１５との間に接続されるので、これらの端子１３、１５で生じる電圧パルス３０１、３０１ａの差が、ＬＥＤ  Ｄ１に印加される。しかし、対応するインダクタＬ１、Ｌ１ａのリアクタンス、及び対応するコンデンサＣ１、Ｃ１ａのリアクタンスは同一であるので、一方としての第１のインダクタＬ１及び第１のコンデンサＣ１と、他方としての第２のインダクタＬ１ａ及び第２のコンデンサＣ１ａとによる電圧信号の遅延は同じである。従って、ＬＥＤ  Ｄ１に印加されるこれらの電圧の差は、ゼロである。同じことが、他の負荷セグメント２０〜７０での電圧差にも当て嵌まる。この電圧差は、図２の最下部に示されている。
【００５４】
しかし、図３に示されるように、磁性層１０１を有する物体１００が検出領域に入る場合には、この電圧差は変化する。この場合、検出領域内の物体１００は、第４〜第７の負荷セグメント４０、５０、６０、７０に隣接する。従って、これらの負荷セグメントの第１のインダクタＬ４、Ｌ５、Ｌ６、Ｌ７のインダクタンスが増加され、これは、リアクタンスの増加に対応する。これらの負荷セグメントの第２のインダクタＬ４ａ、Ｌ５ａ、Ｌ６ａ、Ｌ７ａは、検出領域からより離れた位置に配設されるので、検出物体１００の存在によって実質的に影響を及ぼされない。従って、それぞれの第２のセグメントの出力端子での電圧パルス３０４ａ、３０５ａ、３０６ａ、３０７ａの時間進化は、図２と比べて変化されない。しかし、それぞれの第１のセグメントの出力端子での電圧パルス３０４、３０５、３０６、３０７は、増加する遅延を示す。従って、先と同様に図３の最下部に示される第１のセグメントの出力端子と第２のセグメントの出力端子との電圧の差は、最初の３つの負荷セグメント１０、２０、３０に関してはゼロであるが、第４〜第７の負荷セグメント４０、５０、６０、７０に関しては、負のパルス３０４ｂ、３０５ｂ、３０６ｂ、３０７ｂ、及びそれらに続く正のパルス３０４ｃ、３０５ｃ、３０６ｃ、３０７ｃを示す。パルス３００の振幅は、ＬＥＤの順電圧よりも高くなるように選択されるので、対応するＬＥＤ  Ｄ４、Ｄ５、Ｄ６、Ｄ７（又はそれらの少なくとも幾つか）は、一時的に点灯する。負荷に印加される電圧は、両方の極性を有する。ここで単一のＬＥＤ  Ｄ１〜Ｄ７が使用される状態では、光を発生させるためにパルスのただ１つの極性が使用されるが、その一方で、ＬＥＤ  Ｄ１〜Ｄ７は、逆バイアス電圧から保護されなければならないことがある。容量型実施形態と併せて以下で説明されるように、追加の構成要素又は複数のＬＥＤ接合を使用することによって、ＬＥＤに電力供給するために負荷電圧の両方の極性が使用されることがある。これらの方法は、ここでも適用され得る。
【００５５】
各負荷セグメントのＬＥＤがそれぞれの近接センサユニットの近くに配設される場合、物体１００が配置される位置又はその近くで光効果が現れる。従って、非常に単純であり安価な構成要素によって、ＬＥＤの「アドレッシング」が実現される。上述の実施形態は７個の負荷セグメントを備えるが、数十個更には数百個の負荷セグメントを含むことが可能であることを理解されたい。
【００５６】
図３の最下部に示される電圧パルスは、ＬＥＤが点灯するときのＬＥＤの電力消費を考慮に入れていないことに留意されるべきである。説明を容易にするために、この影響は無視されている。
【００５７】
次に、図４を参照すると、図１〜図３に示される回路装置の代替実施形態の詳細が示されている。この実施形態では、１つの負荷セグメントのＬＥＤ  Ｄ１（第１の負荷）の非線形性が、同じ負荷セグメント内の第２の負荷Ｒ１に「コピー」される。見やすくするために、第１の負荷セグメント１０の第１のインダクタＬ１及び第２のインダクタＬ１ａから第２の負荷セグメント２０の第１のインダクタＬ２及び第２のインダクタＬ２ａまでの部分のみが示されている。後続の負荷セグメントも同様に設計されることがある。
【００５８】
図４は、２つのトランジスタＱ１、Ｑ２によって形成されるカレントミラーデバイスを採用する単極実施形態を例示する。図４に示されるように、ＬＥＤ  Ｄ１への電流は、カレントミラーデバイスＱ１、Ｑ２の第１のトランジスタＱ１の１つの足（コレクタ）を通って流れる。非線形挙動を示さない第２の負荷Ｒ１（抵抗として概略的に示される）が、カレントミラーデバイスの第２のトランジスタＱ２の第２の足（コレクタ）に接続される。第２の負荷Ｒ１の特性に関係なく、ＬＥＤ  Ｄ１を通る電流がない限り、第２の負荷Ｒ１での電流もない。ＬＥＤ  Ｄ１での電流が生じるとすぐに、第２の負荷Ｒ１での電流も生じることがある。従って、ＬＥＤ  Ｄ１の非線形挙動が、第２の負荷Ｒ１に「コピー」される。
【００５９】
第２の負荷Ｒ１での最大電流は、ａ）第２の負荷セグメント１０での電流電圧における第２の負荷Ｒ１の元の負荷電流と、ｂ）ＬＥＤ  Ｄ１での電流にカレントミラーＱ１、Ｑ２の電流伝達比を乗算した値との最小値である。
【００６０】
代替実施形態は、ＬＥＤ  Ｄ１に直列の電流測定抵抗と、第２の負荷での電流を設定するための制御式電流又は電圧源とを含むことがある。
【００６１】
電流比に加えて、例えば、第２の負荷Ｒ１に直列のダイオードを設けることによって、追加のオフセットも導入されることがある。
【００６２】
図５を参照すると、本発明による回路装置２０１の異なる実施形態が示されおり、この実施形態は、斜視図で示されている。ここでは、反応素子が、複数のコンデンサによって構成される。これらのコンデンサは、２次元検出領域に平行に配設された一連の主電極２３０〜２３６によって構成される。これらの主電極に隣接して、副電極２３７も、検出領域に平行に配設される。これは、コンデンサが、１つの共通の副電極２３７を有することを意味する。代替として、個別の副電極が使用されることもある。副電極２３７は、ドライバユニット２８０の第１の端子２８１に接続される。各主電極２３０〜２３６は、負荷ユニット２２０〜２２６に直列に接続され、負荷ユニット２２０〜２２６は更に、ドライバユニット２８０の第２の端子２８２に接続される。例えば、第１の主電極２３０は、第１の負荷ユニット２２０に直列に接続される。ここでは、概略的にのみ示されている負荷ユニット２２０〜２２６は、例えばＬＥＤユニットでよい。
【００６３】
動作状態で、ドライバユニット２８０は、その端子２８１、２８２に交流電圧を印加し、この交流電圧は、正弦波形状でよい。主電極及び副電極のサイズ及び構成は、コンデンサのキャパシタンスが多少低くなるように選択される。従って、コンデンサのリアクタンスは多少高く、これは、負荷ユニットに印加される電圧を多少低くする。負荷ユニット２２０〜２２６がＬＥＤユニットである場合、ＬＥＤのオフ状態は、小さい信号をバイパスするために抵抗等の追加の負荷要素を使用することによって保証され得る。しかし、ユーザの手１０２等の誘電性物体が主電極及び副電極に近接している場合、キャパシタンスが増加され、リアクタンスが減少される。従って、負荷ユニットに印加される電圧はより高くなり、これは、負荷ユニットを作動させることがある。図５は、幾つかの主電極２３０、２３１、２３２、２３３の上に配置されたユーザの手１０２を示し、これは、対応する負荷ユニット２２０、２２１、２２２、２２３を作動させる。例えば、負荷ユニット内に備えられたＬＥＤは、回路装置２０１が埋め込まれた表面にユーザの手１０２が近付く場合に点灯することがある。
【００６４】
図６は、例えば図５での回路装置において負荷ユニット２２０〜２２６として使用されることがある様々なダイオード構成を示す。分かりやすくするために、様々な負荷セグメント２１３ａ〜２１３ｅが、１つの回路の一部分として示されている。しかし、図５に示されるような回路装置では、通常は、ただ１つのタイプの負荷セグメントが使用される。
【００６５】
第１の負荷ユニット２１３ａは、２つの逆並列ＬＥＤを備える。これは、電圧極性に関係なく１つのＬＥＤの点灯を可能にする最も単純な設計である。主電極及び副電極と、検出物体（ユーザの手）とは、調節可能なコンデンサ２１４ａによって概略的に表されている。ここでは、物体が検出領域内にないときにオフ状態又は減光レベルを保証するために、２つのＬＥＤに並列に抵抗が配置されることがある。
【００６６】
第２の負荷ユニット２１３ｂでは、２つの逆並列ＬＥＤが抵抗Ｒに直列に接続され、抵抗Ｒは、ＬＥＤを通る電流を制限する働きをすることがある。第３の負荷ユニット２１３ｃでは、各逆並列ＬＥＤが、直列に接続された２つのＬＥＤによって置き換えられる。第３の負荷ユニット２１３ｃは、調節可能なコンデンサ２１４ｃ及び調節不能なコンデンサ２１５ｃに直列に接続される。しかし、調節不能なコンデンサは、図示される他の負荷ユニットに関連して採用されることもある。第４の負荷ユニット２１３ｄでは、ＬＥＤは、ブリッジ整流器に組み入れられる。ここでは、整流器の両方の端子が、調節可能なコンデンサ２１４ｄ、２１５ｄに接続される。ここでも、２つの調節可能なコンデンサは、図示される他の負荷ユニットに関連して使用されることもある。第５の負荷ユニット２１３ｅでは、４つのＬＥＤが、ブリッジ整流器のためのダイオードとして働く。
【００６７】
図６に示される負荷ユニット２１３ａ〜２１３ｅは、単一のＬＥＤではなく図１の回路装置でも使用され得ることに留意されるべきである。
【００６８】
開示される実施形態に対する他の変形形態は、図面、本開示、及び添付の特許請求の範囲から、特許請求される本発明を実施する当業者によって理解及び実施され得る。
【００６９】
また、上記の説明及び添付の特許請求の範囲において、単数への言及は、複数も包含するものと意図され、逆も成り立ち、特定数の特徴又はデバイスに対する言及は、その特定数の特徴又はデバイスに本発明を限定するものと解釈されるべきではない。更に、「含む」又は「備える」等の表現は、他の要素を除外せず、「１つの」は、複数を除外しない。
【００７０】
特定の手段が互いに異なる従属クレームに記載されていることだけでは、これらの手段の組合せが有利に使用され得ないことを示さない。特許請求の範囲内の任意の参照符号は、特許請求の範囲の範囲を限定するものと解釈されるべきではない。
【図１】
0006339019.tif 000002
【図２】
0006339019.tif 000003
【図３】
0006339019.tif 000004
【図４】
0006339019.tif 000005
【図５】
0006339019.tif 000006
【図６】
0006339019.tif 000007